【手続補正書】
【提出日】令和2年12月7日(2020.12.7)
【手続補正１】
【補正対象書類名】特許請求の範囲
【補正対象項目名】全文
【補正方法】変更
【補正の内容】
【特許請求の範囲】
【請求項１】
以下を含む、吸収性積層体：
高吸収性ポリマー粒子と、該高吸収性ポリマー粒子を多孔質マトリックス中に支持する接着剤とを含む第1の副層であって、該第1の副層中の該高吸収性ポリマー粒子が20 g/m2〜130 g/m2の目付量を有する、第1の副層；
高吸収性ポリマー粒子と、該高吸収性ポリマー粒子を多孔質マトリックス中に支持する接着剤とを含む第2の副層であって、該第2の副層中の該高吸収性ポリマー粒子が20 g/m2〜130 g/m2の目付量を有する、第2の副層；ならびに
該第1の層と該第2の層との間に配置されており、かつ該第1および第2の層の各々に接合されている、第3の副層であって、該第3の副層が湿潤性セルロース系繊維の不織ウェブを含み、該不織ウェブが6 g/m2〜80 g/m2の目付量を有する、第3の副層。
【請求項２】
第3の副層が、
20 g/m2〜80 g/m2の目付量を有するスパンレース不織ウェブ、または、
15 g/m2〜35 g/m2の目付量を有する薄葉紙、または、
再生セルロース系繊維
を含む、請求項1記載の吸収性積層体。
【請求項３】
第4の副層と第3の副層との間に第1の副層が配置されるように第1の副層に接合されている第4の副層であって、薄葉紙を含む、第4の副層；および
第5の副層と第3の副層との間に第2の副層が配置されるように第2の副層に接合されている第5の副層であって、薄葉紙を含む、第5の副層
をさらに含む、請求項1記載の吸収性積層体。
【請求項４】
前記吸収性積層体が1.3mm未満の厚みを有する、または、
前記吸収性積層体が1.3mm未満の厚みを有し、かつ、少なくとも一方向において少なくとも40ニュートン/50 mm（N/50 mm）の引張強度を有する、
請求項3記載の吸収性積層体。
【請求項５】
第4および第5の副層のうちの少なくとも一方の薄葉紙が、クレープ加工および/または通気乾燥されている、または、
第2の副層の厚さが、第1の副層の厚さと等しい、または、
第2の副層中の高吸収性ポリマー粒子の目付量が、第1の副層中の高吸収性ポリマー粒子の目付量と等しい、
請求項3記載の吸収性積層体。
【請求項６】
第2の副層中の高吸収性ポリマー粒子の目付量が、第1の副層中の高吸収性ポリマー粒子の目付量と等しく、第1の副層中の接着剤の目付量が0.5 g/m2〜5 g/m2であり、第2の副層中の接着剤の目付量が0.5 g/m2〜5 g/m2である、請求項3記載の吸収性積層体。
【請求項７】
以下の工程を含む、吸収性積層体の作製方法：
第1の副層を画定する湿潤性セルロース系繊維の不織ウェブの第1の側に接着剤および高吸収性ポリマー粒子を分布させる工程であって、それによって該接着剤が該高吸収性ポリマー粒子を多孔質マトリックス中に支持して第2の副層を画定し、該不織ウェブが6 g/m2〜80 g/m2の目付量を有し、第2の副層中の該高吸収性ポリマー粒子が20 g/m2〜80 g/m2の目付量を有する、工程；
湿潤性セルロース系繊維の不織ウェブの第2の側に接着剤および高吸収性ポリマー粒子を分布させる工程であって、それによって該接着剤が該高吸収性ポリマー粒子を多孔質マトリックス中に支持して第3の副層を画定し、第3の副層中の該高吸収性ポリマー粒子が20 g/m2〜80 g/m2の目付量を有する、工程。
【請求項８】
第1の副層の接着剤が粘着性である間に、第1の副層に第4の副層を貼付する工程であって、それによって第4の副層と第3の副層との間に第1の副層が配置されるように第4の副層が第1の副層に接合され、第4の副層が薄葉紙を含む、工程；および
第2の副層の接着剤が粘着性である間に、第2の副層に第5の副層を貼付する工程であって、それによって第5の副層と第3の副層との間に第2の副層が配置されるように第5の副層が第2の副層に接合され、第5の副層が薄葉紙を含む、工程
をさらに含む、請求項7記載の方法。
【請求項９】
以下を含む、使い捨て吸収性物品用の吸収性コア：
1つまたは複数のピースの請求項1〜6のいずれか一項記載の吸収性積層体であって、該吸収性積層体の複数の層を画定している、1つまたは複数のピースの吸収性積層体。
【請求項１０】
1つのピースの前記吸収性積層体が折り返されて該吸収性積層体の複数の層を画定している、または、
複数ピースの前記吸収性積層体が積み重ねられて該吸収性積層体の複数層を画定している、
請求項9記載の吸収性コア。
【請求項１１】
複数ピースの前記吸収性積層体が積み重ねられて該吸収性積層体の複数層を画定しており、前記吸収性コアは、前記吸収性積層体の副層のうちの最外のものに結合されている追加のピースの請求項3記載の該吸収性積層体をさらに含む、請求項9記載の吸収性コア。
【請求項１２】
前記吸収性積層体の前記複数の層が、全体幅と、該全体幅より長い全体長とを有し、該全体長が吸収性コアの第1端から第2端までに及ぶ長さであり、前記追加のピースが該全体長とは異なる長さを有する、請求項11記載の吸収性コア。
【請求項１３】
前記吸収性積層体の前記複数の層の全体長が、前記追加のピースの吸収性積層体の長さの50％〜70％である、請求項12記載の吸収性コア。
【請求項１４】
前記吸収性積層体の前記複数の層が、折り返された第1のピースの該吸収性積層体によって画定され、前記追加のピースの吸収性積層体が折り返されていない、請求項13記載の吸収性コア。
【請求項１５】
一部含水している場合に70％より大きい復元性を示すように構成されている、または、
100 mm×100 mmの吸収性コア片に145 mLの水が投入された場合、5×103 Paの圧力での2回目の圧縮サイクルにおいて、150×103 Pa未満の応力ベースの柔軟性を示すように構成されている、または、
100 mm×100 mmの吸収性コア片に100 mLの水が投入された場合、10％の歪みでの2回目の圧縮サイクルにおいて、4×10-3 Pa未満の歪みベースの柔軟性を示すように構成されている、
請求項14記載の吸収性コア。
【請求項１６】
液透過性のトップシート；
液不透過性のバックシート；および
該トップシートと該バックシートとの間に配置された請求項9記載の吸収性コア
を含む、使い捨て吸収性物品。
【請求項１７】
前記吸収性コアに加えて別個の取り込み拡散層を含んでいない、または、
前記吸収性物品がベッドパッドであり、前記吸収性コアが少なくとも0.3048m（12インチ）の幅および少なくとも0.4571m（18インチ）の長さを有する、
請求項16記載の吸収性物品。
【請求項１８】
請求項1記載の吸収性積層体の複数の層を積み重ねる工程を含む、または、
請求項1記載の吸収性積層体の複数の層を積み重ねる工程を含み、かつ前記複数の層が、1つのピースの前記吸収性積層体をそれ自体の上に折り返すことにより積み重ねられる、
使い捨て吸収性物品用の吸収性コアの作製方法。
【請求項１９】
吸収性積層体の複数の層を画定している1つまたは複数のピースの請求項1〜6のいずれか一項記載の吸収性積層体を含む、支持コア；および
該支持コアに結合されている液不透過性層
を含み、
該支持コアが、少なくとも0.3048m（8インチ）の幅および少なくとも0.3048m（8インチ）の長さを有する、
使い捨て患者支持物品。
【請求項２０】
前記吸収性積層体の副層のうちの上側最外層に結合されている追加のピースの請求項3記載の吸収性積層体をさらに含む、請求項19記載の患者支持物品。
【請求項２１】
前記支持コアが第1の支持コアであり；
前記患者支持物品が、吸収性積層体の複数の層を画定している1つまたは複数のピースの請求項1〜6のいずれか一項記載の吸収性積層体を含む第2の支持コアをさらに含み；
該第2の支持コアが、前記液不透過性層に結合されており、かつ第1の支持コアとは横方向に間隔があいている
請求項19記載の患者支持物品。
【請求項２２】
前記液不透過性層がバックシートであり；
前記患者支持物品がトップシートをさらに含み；
内部に前記支持コアが配置される封入部を該バックシートおよび該トップシートが形成するように、該支持コアが該バックシートと該トップシートとの間に配置されている
請求項19記載の患者支持物品。
【請求項２３】
前記トップシートが液透過性である、または液不透過性である、または透湿性である、請求項22記載の患者支持物品。
【請求項２４】
前記患者支持物品が、該患者支持物品を患者に位置合わせする前に前記高吸収性ポリマー粒子に液体が送達されることが可能であるように構成されている、請求項19記載の患者支持物品。
【請求項２５】
前記液不透過性層が、内部に前記支持コアが配置される封入部を画定しており；
前記患者支持物品が、
前記高吸収性ポリマー粒子によって吸収されると該高吸収性ポリマー粒子の少なくとも一部分を少なくとも所望の復元性まで膨潤させるのに充分な体積の液体を収容できる収容部
をさらに含み；
該収容部が、該封入部内に配置されており、かつ、破裂すると該液体を該封入部内に放出するように構成されている
請求項14記載の患者支持物品。
【請求項２６】
前記バックシートおよびトップシートが共同して、
成人用保護パンツまたはブリーフであって、ユーザーによって着用されるときに前記支持コアが着用者の腰の一方の少なくとも一部分と一直線になるように構成されている、該成人用保護パンツまたはブリーフ、または
吸収性物品に結合されるように構成されているパッド、または
パッドを患者の皮膚に直接接着するように構成されている皮膚用接着剤を有する該パッド、または、
ベッドパッドもしくはアンダーパッドもしくはシートクッションのシャーシ
の少なくとも一部分を画定している、請求項19記載の患者支持物品。
【請求項２７】
前記物品が、人体の一部分を覆うように成形または輪郭形成されている、請求項19記載の患者支持物品。
【請求項２８】
請求項19記載の使い捨て患者支持物品の支持コアに液体を送達する工程；
該支持コアの圧縮時の復元力を高めるのに充分な体積の該液体を該支持コアが吸収するのを可能にする工程；および
該液体が該支持コアに送達された後に、患者の少なくとも一部分と該患者の該少なくとも一部分を支持する面との間に該患者支持物品を配置する工程
を含む、方法。
【手続補正２】
【補正対象書類名】明細書
【補正対象項目名】００４１
【補正方法】変更
【補正の内容】
【００４１】
［本発明１００１］
以下を含む、吸収性積層体：
高吸収性ポリマー（SAP）粒子と、該SAP粒子を多孔質マトリックス中に支持する接着剤とを含む第1の副層であって、該第1の副層中の該SAP粒子が20グラム/平方メートル（gsm）〜130 gsmの目付量を有する、第1の副層；
SAP粒子と、該SAP粒子を多孔質マトリックス中に支持する接着剤とを含む第2の副層であって、該第2の副層中の該SAP粒子が20 gsm〜130 gsmの目付量を有する、第2の副層；ならびに
該第1の層と該第2の層との間に配置されており、かつ該第1および第2の層の各々に接合されている、第3の副層であって、該第3の副層が湿潤性セルロース系繊維の不織ウェブを含み、該不織ウェブが6 gsm〜80 gsmの目付量を有する、第3の副層。
［本発明１００２］
第3の副層が、20 gsm〜80 gsmの目付量を有するスパンレース不織ウェブを含む、本発明1001の吸収性積層体。
［本発明１００３］
第3の副層が、15 gsm〜35 gsmの目付量を有する薄葉紙を含む、本発明1002の吸収性積層体。
［本発明１００４］
第3の副層が、再生セルロース系繊維を含む、本発明1001の吸収性積層体。
［本発明１００５］
第4の副層と第3の副層との間に第1の副層が配置されるように第1の副層に接合されている第4の副層であって、薄葉紙を含む、第4の副層；および
第5の副層と第3の副層との間に第2の副層が配置されるように第2の副層に接合されている第5の副層であって、薄葉紙を含む、第5の副層
をさらに含む、本発明1001の吸収性積層体。
［本発明１００６］
1.3ミリメートル（mm）未満の厚みを有する、本発明1005の吸収性積層体。
［本発明１００７］
少なくとも一方向において少なくとも40ニュートン/50 mm（N/50 mm）の引張強度を有する、本発明1006の吸収性積層体。
［本発明１００８］
第4および第5の副層のうちの少なくとも一方の薄葉紙が、クレープ加工および/または通気乾燥されている、本発明1005の吸収性積層体。
［本発明１００９］
第2の副層の厚さが、第1の副層の厚さと等しい、本発明1005の吸収性積層体。
［本発明１０１０］
第2の副層中のSAP粒子の目付量が、第1の副層中のSAP粒子の目付量と等しい、本発明1005の吸収性積層体。
［本発明１０１１］
第1の副層中の接着剤の目付量が0.5 gsm〜5 gsmであり、第2の副層中の接着剤の目付量が0.5 gsm〜5 gsmである、本発明1010の吸収性積層体。
［本発明１０１２］
以下の工程を含む、吸収性積層体の作製方法：
第1の副層を画定する湿潤性セルロース系繊維の不織ウェブの第1の側に接着剤および高吸収性ポリマー（SAP）粒子を分布させる工程であって、それによって該接着剤が該SAP粒子を多孔質マトリックス中に支持して第2の副層を画定し、該不織ウェブが6グラム/平方メートル（gsm）〜80 gsmの目付量を有し、第2の副層中の該SAP粒子が20 gsm〜80 gsmの目付量を有する、工程；
湿潤性セルロース系繊維の不織ウェブの第2の側に接着剤および高吸収性ポリマー（SAP）粒子を分布させる工程であって、それによって該接着剤が該SAP粒子を多孔質マトリックス中に支持して第3の副層を画定し、第3の副層中の該SAP粒子が20 gsm〜80 gsmの目付量を有する、工程。
［本発明１０１３］
第1の副層の接着剤が粘着性である間に、第1の副層に第4の副層を貼付する工程であって、それによって第4の副層と第3の副層との間に第1の副層が配置されるように第4の副層が第1の副層に接合され、第4の副層が薄葉紙を含む、工程；および
第2の副層の接着剤が粘着性である間に、第2の副層に第5の副層を貼付する工程であって、それによって第5の副層と第3の副層との間に第2の副層が配置されるように第5の副層が第2の副層に接合され、第5の副層が薄葉紙を含む、工程
をさらに含む、本発明1012の方法。
［本発明１０１４］
以下を含む、使い捨て吸収性物品用の吸収性コア：
1つまたは複数のピースの本発明1001〜1011のいずれかの吸収性積層体であって、該吸収性積層体の複数の層を画定している、1つまたは複数のピースの吸収性積層体。
［本発明１０１５］
1つのピースの前記吸収性積層体が折り返されて該吸収性積層体の複数の層を画定している、本発明1014の吸収性コア。
［本発明１０１６］
複数ピースの前記吸収性積層体が積み重ねられて該吸収性積層体の複数層を画定している、本発明1014の吸収性コア。
［本発明１０１７］
前記吸収性積層体の副層のうちの最外のものに結合されている追加のピースの本発明1005の該吸収性積層体をさらに含む、本発明1014の吸収性コア。
［本発明１０１８］
前記吸収性積層体の前記複数の層が、全体幅と、該全体幅より長い全体長とを有し、該全体長が吸収性コアの第1端から第2端までに及ぶ長さであり、前記追加のピースが該全体長とは異なる長さを有する、本発明1017の吸収性コア。
［本発明１０１９］
前記吸収性積層体の前記複数の層の全体長が、前記追加のピースの吸収性積層体の長さの50％〜70％である、本発明1018の吸収性コア。
［本発明１０２０］
前記吸収性積層体の前記複数の層が、折り返された第1のピースの該吸収性積層体によって画定され、前記追加のピースの吸収性積層体が折り返されていない、本発明1019の吸収性コア。
［本発明１０２１］
一部含水している場合に70％より大きい復元性を示すように構成されている、本発明1014の吸収性コア。
［本発明１０２２］
100 mm×100 mmの吸収性コア片に145ミリリットル（mL）の水が投入された場合、5×103 Paの圧力での2回目の圧縮サイクルにおいて、150×103 Pa未満の応力ベースの柔軟性を示すように構成されている、本発明1014の吸収性コア。
［本発明１０２３］
100 mm×100 mmの吸収性コア片に100ミリリットル（mL）の水が投入された場合、10％の歪みでの2回目の圧縮サイクルにおいて、4×10-3 Pa未満の歪みベースの柔軟性を示すように構成されている、本発明1014の吸収性コア。
［本発明１０２４］
液透過性のトップシート；
液不透過性のバックシート；および
該トップシートと該バックシートとの間に配置された本発明1014の吸収性コア
を含む、使い捨て吸収性物品。
［本発明１０２５］
前記吸収性コアに加えて別個の取り込み拡散層を含んでいない、本発明1024の吸収性物品。
［本発明１０２６］
前記吸収性物品がベッドパッドであり、前記吸収性コアが少なくとも12インチの幅および少なくとも18インチの長さを有する、本発明1024の吸収性物品。
［本発明１０２７］
本発明1001の吸収性積層体の複数の層を積み重ねる工程を含む、使い捨て吸収性物品用の吸収性コアの作製方法。
［本発明１０２８］
前記複数の層が、1つのピースの前記吸収性積層体をそれ自体の上に折り返すことにより積み重ねられる、本発明1027の方法。
［本発明１０２９］
吸収性積層体の複数の層を画定している1つまたは複数のピースの本発明1001〜1011のいずれかの吸収性積層体を含む、支持コア；および
該支持コアに結合されている液不透過性層
を含み、
該支持コアが、少なくとも8インチの幅および少なくとも8インチの長さを有する、
使い捨て患者支持物品。
［本発明１０３０］
前記吸収性積層体の副層のうちの上側最外層に結合されている追加のピースの本発明1005の吸収性積層体をさらに含む、本発明1029の患者支持物品。
［本発明１０３１］
前記支持コアが第1の支持コアであり；
前記患者支持物品が、吸収性積層体の複数の層を画定している1つまたは複数のピースの本発明1001〜1011のいずれかの吸収性積層体を含む第2の支持コアをさらに含み；
該第2の支持コアが、前記液不透過性層に結合されており、かつ第1の支持コアとは横方向に間隔があいている
本発明1029の患者支持物品。
［本発明１０３２］
前記液不透過性層がバックシートであり；
前記患者支持物品がトップシートをさらに含み；
内部に前記支持コアが配置される封入部を該バックシートおよび該トップシートが形成するように、該支持コアが該バックシートと該トップシートとの間に配置されている
本発明1029の患者支持物品。
［本発明１０３３］
前記トップシートが液透過性である、本発明1032の患者支持物品。
［本発明１０３４］
前記トップシートが液不透過性である、本発明1032の患者支持物品。
［本発明１０３５］
前記トップシートが透湿性である、本発明1032の患者支持物品。
［本発明１０３６］
前記患者支持パッドが、該患者支持パッドを患者に位置合わせする前に前記SAP粒子に液体が送達されることが可能であるように構成されている、本発明1029の患者支持物品。
［本発明１０３７］
前記液不透過性層が、内部に前記支持コアが配置される封入部を画定しており；
前記患者支持パッドが、
前記SAP粒子によって吸収されると該SAP粒子の少なくとも一部分を少なくとも所望の復元性まで膨潤させるのに充分な体積の液体を収容できる収容部
をさらに含み；
該収容部が、該封入部内に配置されており、かつ、破裂すると該液体を該封入部内に放出するように構成されている
本発明1036の患者支持物品。
［本発明１０３８］
前記バックシートおよびトップシートが共同して、成人用保護パンツまたはブリーフの少なくとも一部分を画定しており、該成人用保護パンツまたはブリーフが、ユーザーによって着用されるときに前記支持コアが着用者の腰の一方の少なくとも一部分と一直線になるように構成されている、本発明1029の患者支持物品。
［本発明１０３９］
前記バックシートおよびトップシートが共同して、吸収性物品に結合されるように構成されているパッドの少なくとも一部分を画定している、本発明1029の患者支持物品。
［本発明１０４０］
前記バックシートおよびトップシートが共同して、パッドを患者の皮膚に直接接着するように構成されている皮膚用接着剤を有する該パッドの少なくとも一部分を画定している、本発明1029の患者支持物品。
［本発明１０４１］
前記パッドが、人体の一部分を覆うように成形または輪郭形成されている、本発明1029の患者支持物品。
［本発明１０４２］
前記バックシートおよびトップシートが共同して、ベッドパッドまたはアンダーパッドのシャーシの少なくとも一部分を画定している、本発明1029の患者支持物品。
［本発明１０４３］
前記バックシートおよびトップシートが共同して、シートクッションのシャーシの少なくとも一部分を画定している、本発明1029の患者支持物品。
［本発明１０４４］
本発明1029の使い捨て患者支持物品の支持コアに液体を送達する工程；
該支持コアの圧縮時の復元力を高めるのに充分な体積の該液体を該支持コアが吸収するのを可能にする工程；および
該液体が該支持コアに送達された後に、患者の少なくとも一部分と該患者の該少なくとも一部分を支持する面との間に該患者支持物品を配置する工程
を含む、方法。
上記および他の態様に関連するいくつかの詳細事項を以下に記載する。